(57)【要約】【課題】カップ部からの力を十分に伝達でき、バストの補整効果を十分に確保できるパッド、パッド付き肌側布、及びカップ部付き衣類を提供する。【解決手段】パッド１では、鍔部３の一方側に向かって凸となる厚肉部４が形成されている。厚肉部４により、パッド１をカップ部２２に取り付けた際に厚肉部４がカップ部２２の湾曲形状にしっかりと沿い、カップ部２２に対するパッド１の密着性が高められる。したがって、カップ部２２からの力がパッド１に十分に伝達され、バストの補整効果を良好に発揮させることが可能となる。また、パッド１では、パッド本体部２の周縁に略平坦な鍔部３が設けられている。鍔部３により、パッド１がカップ部２２に取り付けられた際の厚肉部４の形状が維持され、カップ部２２に対するパッドの密着性が保たれる。【選択図】図１
2015190063.tif 000002
【特許請求の範囲】
【請求項１】
カップ部付き衣類のカップ部に取り付けられるパッドであって、
弾力性を有するパッド本体部と、
前記パッド本体部の周縁の少なくとも一部に設けられた略平坦な鍔部と、を備え、
前記パッド本体部は、前記鍔部の一方側に向かって凸となる厚肉部を有しているパッド。
【請求項２】
前記鍔部は、前記パッド本体部の周縁全体に設けられている請求項１記載のパッド。
【請求項３】
前記パッド本体部は、前記厚肉部よりも小さい厚さで前記鍔部の他方側に向かって凸となる薄肉部を更に有している請求項１又は２記載のパッド。
【請求項４】
カップ部付き衣類のカップ部に取り付けられるパッド付き肌側布であって、
弾力性を有するパッド本体部と、
前記パッド本体部の周縁の少なくとも一部に設けられた略平坦な鍔部と、を備え、
前記パッド本体部は、前記鍔部の一方側に向かって凸となる厚肉部を有しているパッド付き肌側布。
【請求項５】
前記鍔部は、前記パッド本体部の周縁全体に設けられている請求項４記載のパッド付き肌側布。
【請求項６】
前記パッド本体部は、前記厚肉部よりも小さい厚さで前記鍔部の他方側に向かって凸となる薄肉部を更に有している請求項４又は５記載のパッド付き肌側布。
【請求項７】
左右一対のカップ部と、前記カップ部の肌側に配置される請求項１〜３のいずれか一項に記載のパッドとを備えたカップ部付き衣類であって、
前記パッドの前記厚肉部が前記カップ部側を向くように配置されているカップ部付き衣類。
【請求項８】
左右一対のカップ部と、前記カップ部の肌側に配置される請求項４〜６のいずれか一項に記載のパッド付き肌側布とを備えたカップ部付き衣類であって、
前記パッド付き肌側布の前記厚肉部が前記カップ部側を向いた状態で前記鍔部が前記カップ部に連結されることで、前記パッド付き肌側布が前記カップ部に固定されているカップ部付き衣類。
【発明の詳細な説明】
【技術分野】
【０００１】
本発明は、パッド、パッド付き肌側布、及びカップ部付き衣類に関する。
【背景技術】
【０００２】
ブラジャーに代表されるカップ部付き女性用衣類においては、ボリュームアップ等の目的でカップ部にパッドが装着される場合がある。例えば特許文献１に記載されたパッドでは、熱プレス成形によって形成された複数の溝が乳房カップのトップ部の周辺部近傍から放射状に設けられている。これにより、バストの下垂及び脇流れの補整効果が図られている。
【先行技術文献】
【特許文献】
【０００３】
【特許文献１】特許第２８６５６００号明細書
【発明の概要】
【発明が解決しようとする課題】
【０００４】
上述したようなパッドは、着用状態においてカップがパッドを肌側に向かって押さえる力を肌側に伝達することにより、バストに対する補整効果を奏するようになっている。しかしながら、カップ部付き女性用衣類では、バスト形状に応じたカップ部の湾曲形状は一様ではない場合が多く、例えばカップ部においてバストトップの位置に対応する部分では、他の部分に比べて前方に向かって尖った形状をなしていることもある。このため、パッドを狙いの位置に配置したとしても、カップ部とパッドとの密着性が不十分になる場合があり、カップ部からの力が十分にパッドに伝達されず、パッドによるバストの補整効果が十分に得られなくなることがあった。
【０００５】
本発明は、上記課題の解決のためになされたものであり、カップ部からの力を十分に伝達でき、バストの補整効果を十分に確保できるパッド、パッド付き肌側布、及びカップ部付き衣類を提供することを目的とする。
【課題を解決するための手段】
【０００６】
上記課題の解決のため、本発明に係るパッドは、カップ部付き衣類のカップ部に取り付けられるパッドであって、弾力性を有するパッド本体部と、パッド本体部の周縁の少なくとも一部に設けられた略平坦な鍔部と、を備え、パッド本体部は、鍔部の一方側に向かって凸となる厚肉部を有していることを特徴としている。
【０００７】
このパッドでは、鍔部の一方側に向かって凸となる厚肉部が形成されている。厚肉部により、パッドをカップ部に取り付けた際に厚肉部がカップ部の湾曲形状にしっかりと沿い、カップ部に対するパッドの密着性が高められる。したがって、カップ部からの力がパッドに十分に伝達され、バストの補整効果を良好に発揮させることが可能となる。また、このパッドでは、パッド本体部の周縁の少なくとも一部に略平坦な鍔部が設けられている。鍔部により、パッドがカップ部に取り付けられた際の厚肉部の形状が維持され、カップ部に対するパッドの密着性が保たれる。
【０００８】
また、鍔部は、パッド本体部の周縁全体に設けられていることが好ましい。この場合、パッドがカップ部に取り付けられた際の厚肉部の形状をより確実に維持できる。
【０００９】
また、パッド本体部は、厚肉部よりも小さい厚さで鍔部の他方側に向かって凸となる薄肉部を更に有していることが好ましい。この場合、薄肉部がバスト側に入り込むことで、バストの造形機能を一層効果的に発揮させることが可能となる。
【００１０】
また、本発明に係るパッド付き肌側布は、カップ部付き衣類のカップ部に取り付けられるパッド付き肌側布であって、弾力性を有するパッド本体部と、パッド本体部の周縁の少なくとも一部に設けられた略平坦な鍔部と、を備え、パッド本体部は、鍔部の一方側に向かって凸となる厚肉部を有していることを特徴としている。
【００１１】
このパッド付き肌側布では、鍔部の一方側に向かって凸となる厚肉部が形成されている。厚肉部により、パッド付き肌側布をカップ部に取り付けた際に厚肉部がカップ部の湾曲形状にしっかりと沿い、カップ部に対するパッドの密着性が高められる。したがって、カップ部からの力がパッド本体部に十分に伝達され、バストの補整効果を良好に発揮させることが可能となる。また、このパッド付き肌側布では、パッド本体部の周縁の少なくとも一部に略平坦な鍔部が設けられている。鍔部により、パッド付き肌側布がカップ部に取り付けられた際の厚肉部の形状が維持され、カップ部に対するパッド本体部の密着性が保たれる。
【００１２】
また、鍔部は、パッド本体部の周縁全体に設けられていることが好ましい。この場合、パッド付き肌側布がカップ部に取り付けられた際の厚肉部の形状をより確実に維持できる。
【００１３】
また、パッド本体部は、厚肉部よりも小さい厚さで鍔部の他方側に向かって凸となる薄肉部を更に有していることが好ましい。この場合、薄肉部がバスト側に入り込むことで、バストの造形機能を一層効果的に発揮させることが可能となる。
【００１４】
また、本発明に係るカップ部付き衣類は、左右一対のカップ部と、カップ部の肌側に配置される上述のパッドとを備えたカップ部付き衣類であって、パッドの厚肉部がカップ部側を向くように配置されていることを特徴としている。
【００１５】
このカップ部付き衣類では、カップ部の肌側に配置されるパッドにおいて、鍔部の一方側に向かって凸となる厚肉部が形成されている。厚肉部により、パッドをカップ部に取り付けた際に厚肉部がカップ部の湾曲形状にしっかりと沿い、カップ部に対するパッドの密着性が高められる。したがって、カップ部からの力がパッドに十分に伝達され、バストの補整効果を良好に発揮させることが可能となる。また、このカップ部付き衣類では、パッド本体部の周縁の少なくとも一部に略平坦な鍔部が設けられている。鍔部により、厚肉部の形状が維持され、カップ部に対するパッドの密着性が保たれる。
【００１６】
また、本発明に係るカップ部付き衣類は、左右一対のカップ部と、カップ部の肌側に配置される上述のパッド付き肌側布とを備えたカップ部付き衣類であって、パッド付き肌側布の厚肉部がカップ部側を向いた状態で鍔部がカップ部に連結されることで、パッド付き肌側布がカップ部に固定されていることを特徴としている。
【００１７】
このカップ部付き衣類では、カップ部の肌側に配置されるパッド付き肌側布において、鍔部の一方側に向かって凸となる厚肉部が形成されている。厚肉部により、厚肉部がカップ部の湾曲形状にしっかりと沿い、カップ部に対するパッドの密着性が高められる。したがって、カップ部からの力がパッドに十分に伝達され、バストの補整効果を良好に発揮させることが可能となる。また、このカップ部付き衣類では、パッド本体部の周縁の少なくとも一部に略平坦な鍔部が設けられている。鍔部により、厚肉部の形状が維持され、カップ部に対するパッドの密着性が保たれる。
【発明の効果】
【００１８】
本発明によれば、カップ部からの力を十分に伝達でき、バストの補整効果を十分に確保できる。
【図面の簡単な説明】
【００１９】
【図１】本発明に係るパッドの一実施形態を示す平面図である。
【図２】図１に示したパッドの側面図である。
【図３】本発明に係るパッド付き肌側布の一実施形態を示す平面図である。
【図４】図３に示したパッド付き肌側布の側面図である。
【図５】本発明に係るカップ部付き衣類の第１実施形態を示す正面図である。
【図６】本発明に係るカップ部付き衣類の第２実施形態を示す要部拡大図である。
【図７】図６におけるＶＩＩ−ＶＩＩ線断面図である。
【図８】パッドの作用効果を示す図であり、（ａ）はカップ部からパッド部に伝達される力の様子を示し、（ｂ）はパッド部によるバストの補整効果の一例を示す図である。
【図９】本発明に係るカップ部付き衣類の変形例を示す要部拡大図である。
【発明を実施するための形態】
【００２０】
以下、図面を参照しながら、本発明に係るパッド、パッド付き肌側布、及びカップ部付き衣類の好適な実施形態について詳細に説明する。
［パッドの構成］
【００２１】
図１は、本発明に係るパッドの一実施形態を示す斜視図である。また、図２は、図１に示したパッドの側面図である。図１及び図２に示すように、パッド１は、例えばブラジャーといったカップ部付き衣類のカップ部の肌側に取り付けられ、カップ部付き衣類の着用時にバスト下方側の略中央部に入り込むことにより、バスト上部のボリュームを造形する補整効果を奏するように構成されている。
【００２２】
パッド１は、例えばウレタン系の発泡性硬化樹脂或いは合成繊維からなる不織布などの弾力性を有する芯材によって形成されている。芯材の表層側には、例えば天竺やフライス等の肌触りの良い薄手の生地が芯材を包むように縫着されている。
【００２３】
パッド１は、パッド本体部２と、鍔部３とを備えている。パッド本体部２は、図２に示すように、鍔部３の一方側に向かって凸となる厚肉部４と、鍔部３に対して厚肉部４の反対側に位置し、鍔部３の他方側に向かって凸となる薄肉部５とを有している。厚肉部４における鍔部３の一方面３ａからの厚さは、例えば数ｃｍ程度となっている。厚肉部４の頂面部４ａは、緩やかな湾曲形状となっており、厚肉部４の周縁部４ｂは、鍔部３から立ち上がり、鍔部３及び頂面部４ａに対してなだらかに連続した状態となっている。また、厚肉部４の平面形状は、略楕円形状となっており、長軸方向の一方側の端部４ｃが他方側の端部４ｄに比べて僅かに先細り形状（嘴形状）となっている（図１参照）。
【００２４】
一方、薄肉部における鍔部３の他方面３ｂからの厚さは、例えば厚肉部４の半分程度となっている。薄肉部５の頂面部５ａは、緩やかな湾曲形状となっており、薄肉部５の周縁部５ｂは、鍔部３から立ち上がり、鍔部３及び頂面部５ａに対してなだらかに連続した状態となっている。薄肉部５の平面形状は、厚肉部４の平面形状と同様に略楕円形状となっており、長軸方向の一方側の端部が他方側の端部に比べて僅かに先細り形状となっている。
【００２５】
鍔部３は、例えば薄肉部５よりも小さい厚さで略平坦に形成され、パッド本体部２の周縁全体に設けられている。本実施形態では、鍔部３は、厚肉部４の短軸方向の一方側に向かって張り出す張出部３ｃと、厚肉部４の短軸方向の他方側に向かって張り出す張出部３ｄとを有している。張出部３ｃ及び張出部３ｄは、いずれも先端側に向かうほど先細り形状となっており、張出部３ｄは、張出部３ｃよりも長く張り出した状態となっている。
［パッド付き肌側布の構成］
【００２６】
図３は、本発明に係るパッド付き肌側布の一実施形態を示す平面図である。また、図４は、図３に示したパッド付き肌側布の側面図である。図３及び図４に示すように、パッド付き肌側布１１は、カップ部付き衣類におけるカップ部の形状に対応するように、図１及び図２に示したパッド１における鍔部３の形状を拡張したものであり、パッド本体部１２（厚肉部１４及び薄肉部１５）の構成は、パッド１の場合と同様である。
【００２７】
パッド付き肌側布１１では、鍔部１３は、カップ部の下方側（下カップ部）の肌側に配置される肌側布の本体部を構成し、パッド本体部１２の周縁全体に設けられている。鍔部１３の上縁部１３ｃは、略中央部分が凸となるように湾曲し、鍔部３の脇縁部１３ｄは、カップ部の脇縁部の形状に対応するように凹状に湾曲している。また、鍔部３の下縁部１３ｅは、カップ部の下縁部の形状に対応するように全体的に凸となるように湾曲している。
［カップ部付き衣類の構成］
【００２８】
図５は、本発明に係るカップ部付き衣類の第１実施形態を示す正面図である。同図に示すように、第１実施形態に係るカップ部付き衣類２１は、例えばバスト上部のボリュームが減少傾向にある高齢者向けのブラジャーとして構成されている。カップ部付き衣類２１は、図１及び図２に示したパッド１を有し、バスト上部のボリュームを造形する補整効果を奏するように構成されている。
【００２９】
カップ部付き衣類２１は、例えば左右一対のカップ部２２と、カップ部２２の下縁部２２ｃ側に設けられた土台部２３と、土台部２３の両脇からそれぞれ延びるバック部２４と、カップ部２２とバック部２４とをつなぐストラップ部２５とによって構成されている。
【００３０】
カップ部２２は、例えば不織布や発泡ポリウレタンといった一定の保形性及び弾力性を有する素材によって形成され、着用者のバストの形状に対応させた椀形状をなしている。カップ部２２の上縁部２２ａは、例えばバストの上部に沿うように略中央部分で上向きに湾曲している。また、カップ部２２の脇縁部２２ｂは、腕の動きを阻害することが無いように中心側に向かって凹状に湾曲しており、カップ部２２の下縁部２２ｃは、バストのバージスラインに合うように下向きに湾曲している。
【００３１】
また、カップ部２２は、下側に位置する下カップ部２６と、上側に位置する上カップ部２７とを有している。下カップ部２６は、前中心側に位置する内側下カップ部２６Ａと、脇縁部２２ｂ側に位置する脇側下カップ部２６Ｂとによって構成されている。内側下カップ部２６Ａと脇側下カップ部２６Ｂとは、例えばバストトップの位置を通るラインで互いに縫着され、上カップ部２７は、例えば１０ｍｍ〜３０ｍｍ程度の幅で下カップ部２６の上縁部に沿って縫着されている。
【００３２】
また、カップ部２２の下縁部２２ｃ側には、ワイヤ部２８が設けられている。ワイヤ部２８は、例えば芯材となるワイヤ部材３２をバイアステープ３３内に封入することによって構成されている（図７参照）。ワイヤ部材３２としては、例えば金属やプラスチック等が用いられ、バイアステープ３３には、織物や編物などの柔らかい素材が用いられる。
【００３３】
土台部２３は、例えばベア天竺等の伸縮性（特に左右方向の伸縮性）を有する織物や編物等の素材で形成された表布にマーキゼット等の非（難）伸縮性の素材を裏打し、全体として非（難）伸縮性を有している。土台部２３の上縁部２３ａは、カップ部２２の下縁部２２ｃに沿う凹状の湾曲形状を有し、カップ部２２の下縁部２２ｃ側に縫着されている。土台部２３の下縁部２３ｂには、例えばストレッチテープなど、長手方向に特に伸縮性の高い素材からなる始末部を設けてもよい。
【００３４】
バック部２４は、例えばパワーネットなどの伸縮性を有する素材によって形成されている。バック部２４の基端側は、土台部２３の脇部から連続し、帯状に延びている。バック部２４の先端側には、例えばホック２９が設けられている。このホック２９により、左右のバック部２４同士が互いに係脱自在となっている。
【００３５】
ストラップ部２５は、例えば織物のような布地を紐状に成形、縫製して形成されている。ストラップ部２５に用いられる織物等の素材は、長手方向に伸縮性を有していることが好適である。ストラップ部２５は、カップ部２２とバック部２４との間に掛け渡され、いわゆる肩紐を構成している。ストラップ部２５の一端側は、正面側でカップ部２２の脇側上方に連結され、ストラップ部２５の他端側は、背面側でバック部２４の上縁部に連結されている。
【００３６】
このようなカップ部付き衣類２１では、カップ部２２の肌側にパッド１を着脱自在に装着するためのポケット３０が設けられている。ポケット３０は、例えばトリコット等の肌触りの良い生地をカップ部２２の肌側に縫着することによって形成されている。パッド１は、厚肉部４が表側（カップ部２２側）を向き、且つ薄肉部５が肌側を向いた状態で、さらに、張出部３ｃが前中心側を向き、且つ張出部３ｄが脇縁部２２ｂ側を向いた状態でポケット３０内に配置されている。パッド１の配置状態においては、例えば厚肉部４及び薄肉部５における短軸方向の略中心部分が内側下カップ部２６Ａと脇側下カップ部２６Ｂとの境界部分に対応して位置していることが好適である。
【００３７】
また、図６は、本発明に係るカップ部付き衣類の第２実施形態を示す要部拡大図である。同図に示すように、第２実施形態に係るカップ部付き衣類３１は、図３及び図４に示したパッド付き肌側布１１をカップ部２２に配置している点で、ポケット３０にパッド１を装着している第１実施形態と異なっている。
【００３８】
すなわち、カップ部付き衣類３１では、厚肉部１４が表側（カップ部２２側）を向き、且つ薄肉部５が肌側を向いた状態で、パッド付き肌側布１１がカップ部２２の肌側に配置されている。そして、鍔部１３の脇縁部１３ｄがカップ部２２の脇縁部２２ｂに縫着され、鍔部１３の下縁部１３ｅがカップ部２２の下縁部２２ｃに縫着されることにより、パッド付き肌側布１１がカップ部２２に固定されている。
【００３９】
鍔部１３の下縁部１３ｅとカップ部２２の下縁部２２ｃとの縫着にあたっては、例えば図７に示すように、鍔部１３の下縁部１３ｅとカップ部２２の下縁部２２ｃとを挟むように、土台部２３の上縁部２３ａの折返し部分とワイヤ部２８のバイアステープ３３とが縫着される。なお、鍔部１３の上縁部１３ｃは、カップ部２２に対して非縫着となっているが、上縁部１３ｃをカップ部２２に対して縫着してもよい。
［作用効果］
【００４０】
図８は、パッド１の作用効果を示す図である。同図に示すように、パッド１では、鍔部３の一方側に向かって凸となる厚肉部４が形成されている。厚肉部４により、パッド１をカップ部２２に取り付けた際に厚肉部４がカップ部２２の湾曲形状にしっかりと沿い、カップ部２２に対するパッド１の密着性が高められる。したがって、図８（ａ）に示すように、カップ部２２からの力がパッド１に十分に伝達され、バストＢの補整効果を良好に発揮させることが可能となる。また、パッド１では、パッド本体部２の周縁に略平坦な鍔部３が設けられている。鍔部３により、パッド１がカップ部２２に取り付けられた際の厚肉部４の形状が維持され、カップ部２２に対するパッド１の密着性が保たれる。
【００４１】
本実施形態のパッド１は、例えば図５に示したカップ部付き衣類２１のようにカップ部２２の肌側に配置され、着用状態において、バストＢ下部の略中央部に入り込む。このとき、パッド１は、カップ部２２に密着しているため、カップ部２２からの力が効率良くパッド１に伝達され、パッド１がカップ部２２の肌側の面に沿って広がり、しっかりとバストＢを押し上げる。これにより、図８（ｂ）に示すように、押し上げられたバストＢがバストＢ上部に十分なボリュームで丸みを形成し、バストＢ上部のボリュームの減少が補される。
【００４２】
パッド１では、鍔部３がパッド本体部２の周縁全体に設けられている。これにより、パッド１がカップ部２２に取り付けられた際の厚肉部４の形状をより確実に維持できる。また、パッド本体部２には、厚肉部４よりも小さい厚さで鍔部３の他方側に向かって凸となる薄肉部５が更に設けられている。これにより、薄肉部５がバストＢ側に入り込むことで、バストＢの造形機能を一層効果的に発揮させることが可能となる。
【００４３】
パッド付き肌側布１１においても、パッド１と同様の作用効果を奏する。すなわち、パッド付き肌側布１１をカップ部２２に取り付けた際に厚肉部１４がカップ部２２の湾曲形状にしっかりと沿うので、カップ部２２に対するパッド本体部１２の密着性が高められる。したがって、カップ部２２からの力がパッド本体部１２に十分に伝達され、バストの補整効果を良好に発揮させることが可能となる。また、パッド付き肌側布１１においても、パッド本体部１２の周縁に略平坦な鍔部１３が設けられている。鍔部１３により、パッド付き肌側布１１がカップ部２２に取り付けられた際の厚肉部１４の形状が維持され、カップ部２２に対するパッド本体部２の密着性が保たれる。また、鍔部１３がカップ部２２に縫着されるので、カップ部２２に対するパッド本体部１２の取付位置を安定させることができる。
［変形例］
【００４４】
本発明は、上記実施形態に限られるものではない。例えば上記実施形態では、パッド１において、パッド本体部２の周縁全体に鍔部３が形成されているが（図１参照）、パッド本体部２の周縁の少なくとも一部に鍔部３が形成されていればよい。鍔部３の形状は、パッド本体部２に対して左右対称となっていてもよい。この場合、パッド１の作製コストを抑えることが可能となる。また、上記実施形態では、パッド１において、パッド本体部２に厚肉部４及び薄肉部５の双方が形成されているが、パッド本体部２に厚肉部４のみを形成してもよい。
【００４５】
パッド付き肌側布１１においても、パッド本体部１２に厚肉部１４のみを形成してもよい。また、図３に示した形態では、鍔部１３が下カップ部２６に対応するように形成されているが、鍔部１３の形状は種々の変形を採り得る。例えば図９に示すパッド付き肌側布４１のように、鍔部１３の上縁部１３ｃの脇側をストラップ部２５に連続するように湾曲させると共に、鍔部１３の脇縁部１３ｄをカップ部２２の脇縁部２２ｂ全体の形状に対応するように凹状に湾曲させてもよい。鍔部１３の上縁部１３ｃは、カップ部２２におけるバストトップに対応する位置よりも上方に位置していてもよく、下方に位置していてもよい。
【符号の説明】
【００４６】
１…パッド、２…パッド本体部、３…鍔部、４…厚肉部、５…薄肉部、１１，４１…パッド付き肌側布、１２…パッド本体部、１３…鍔部、１４…厚肉部、１５…薄肉部、２１，３１…カップ部付き衣類、２２…カップ部。
【図１】
2015190063.tif 000003
【図２】
2015190063.tif 000004
【図３】
2015190063.tif 000005
【図４】
2015190063.tif 000006
【図５】
2015190063.tif 000007
【図６】
2015190063.tif 000008
【図７】
2015190063.tif 000009
【図８】
2015190063.tif 000010
【図９】
2015190063.tif 000011